(57)【特許請求の範囲】
【請求項１】
電気製品の内部の取付面に取り付けられ、電気回路基板とは別の特定部品を保持する部品ホルダーであって、
保持された前記特定部品と前記取付面との間に、第１の開口面および第２の開口面を有する空間を形成する後部配線保持部と、
前記電気製品の内部に配線されるケーブルを保持するための前部配線保持部と、を備え、
前記後部配線保持部は、前記特定部品が保持されていない状態で、前記第１の開口面および前記第２の開口面をつなぐ、前記取付面に対向する第３の開口面を有し、
前記前部配線保持部は、前記第３の開口面からずれた位置に設けられ、保持された前記特定部品の前記空間側の面の反対側の面に這わせた前記ケーブルと、前記空間に保持されて前記第２の開口面から延出した前記ケーブルとの少なくともいずれかを保持する、
部品ホルダー。
【請求項２】
電気製品の内部に取り付けられ、前記電気製品に設けられた電気回路基板とは別の交換可能な特定部品を保持する部品ホルダーであって、
前記特定部品を保持する特定部品保持部と、
前記特定部品保持部が前記特定部品を保持した状態で、前記特定部品との間に第１の開口面および第２の開口面を有する空間を形成する後部配線保持部と、を備え、
前記特定部品保持部が前記特定部品を保持した状態において、前記電気回路基板に設けられ、前記第１の開口面または前記第２の開口面のいずれかの方向に位置する外部接続用コネクターと、前記電気製品のカバーに設けられ、前記外部接続用コネクターが設けられた開口面とは異なる開口面の方向に位置するケーブル取出開口部と、の間を、ケーブルを配線して接続する場合、前記ケーブルが前記特定部品の前面を這うように配線され、
前記ケーブルが配線された状態において、前記特定部品を交換する場合、前記ケーブルが前記後部配線保持部に納まるように配線される、
部品ホルダー。
【請求項３】
前記電気製品の内部に配線されるケーブルを、保持された前記特定部品の前面に這わせた状態で保持する前部配線保持部をさらに備える請求項２に記載の部品ホルダー。
【請求項４】
前記特定部品を保持する特定部品保持部と、前記後部配線保持部および前記前部配線保持部とが一体成形される請求項１または３に記載の部品ホルダー。
【請求項５】
カバーで覆われる前記電気製品の内部の前記取付面に前記電気回路基板が設けられており、
前記後部配線保持部は、保持された前記特定部品と前記電気回路基板との間に、前記電気回路基板と干渉しないように、前記電気製品の内部に配線されるケーブルを保持し、
前記前部配線保持部は、保持された前記特定部品と前記カバーとの間に、前記カバーの内面と干渉しないように、前記電気製品の内部に配線されるケーブルを保持する、
請求項１に記載の部品ホルダー。
【請求項６】
前記前部配線保持部および前記後部配線保持部は、それぞれ異なる形状である請求項１，３から５のいずれか１項に記載の部品ホルダー。
【請求項７】
前記後部配線保持部は、前記電気製品の内部に配線されうる最大数のケーブルをまとめて嵌めることができる幅の溝状の構造であって、前記前部配線保持部は、前記電気製品の内部に配線されうる最大数のケーブルを重ならないように並列に保持することができる幅のフック形状である請求項６に記載の部品ホルダー。
【請求項８】
請求項１から７のいずれか１項に記載の部品ホルダーと、電気回路基板とは別の特定部品と、配線されるケーブル用のコネクターとを内部に備える電気製品。
【請求項９】
前記特定部品は、形状が同一で異なる機能を有する２種類の部品であって、付け替えが可能である請求項８に記載の電気製品。
【請求項１０】
前記形状が同一で異なる機能を有する２種類の部品は、外部通信用の無線のＬＡＮアダプターおよび有線のＬＡＮアダプターである請求項９に記載の電気製品。
【請求項１１】
複数の外部機器と有線で接続可能であり、接続する前記外部機器の数によって、内部に配線されるケーブルの数が増減する請求項８から１０のいずれか１項に記載の電気製品。
【発明の詳細な説明】
【技術分野】
【０００１】
本発明は、電気製品の内部の電気回路基板とは別の特定部品を保持する部品ホルダー、および、部品ホルダーを内蔵する電気製品に関する。
【背景技術】
【０００２】
電気製品の内部では、配線と他の部品が干渉して断線や短絡に至らないようにそれらを適切に保持することが必須であり、そのための技術が提案されている。例えば、特許文献１には、ワイヤーホルダーを用いることなく、複数のハーネスを一度に安定的に固定する技術が開示されている。特許文献２には、径寸法や本数の異なるケーブルを安定に保持し、かつ一方では保持の際の操作を容易に行うことを可能にしたケーブルクランプが開示されている。
【先行技術文献】
【特許文献】
【０００３】
【特許文献１】特開２０１３−１５０３３０号公報
【特許文献２】特開２０１２−０１０４４２号公報
【発明の概要】
【発明が解決しようとする課題】
【０００４】
しかしながら、多くの場合、内部配線は電気製品の部品の一つであって、当然その仕様を厳密に指定できることを前提としており、配線経路が変更されるようなことは考慮していない。
【０００５】
特許文献１の技術では、配線保持部が製品外殻と一体成形されており、単一の仕様の線種を単一の経路で保持することを目的としている。特許文献２のケーブルクランプは、保持部をケーブルクランプという汎用性を持たせた別の部品とすることで配線本数の増減、および複数線種への対応を可能としている。またケーブルクランプ自体を移動可能としているため、固定のための穴を準備しておくことで配線経路の変更への対応も可能である。ただしケーブルクランプが別部品であるため、コストが増加する。配線経路の変更についても、容易とは言えない。
【０００６】
本発明は、上述のような事情に鑑みてなされたもので、電気製品の内部配線の線種、本数、および配線経路の変更に容易に対応できるようにすることを目的とする。
【課題を解決するための手段】
【０００７】
上記目的を達成するため、本発明に係る部品ホルダーは、電気製品の内部の取付面に取り付けられ、電気回路基板とは別の特定部品を保持する部品ホルダーである。部品ホルダーは、保持された特定部品と取付面との間に、第１の開口面および第２の開口面を有する空間を形成する後部配線保持部と、電気製品の内部に配線されるケーブルを保持するための前部配線保持部と、を備える。後部配線保持部は、特定部品が保持されていない状態で、第１の開口面および第２の開口面をつなぐ、取付面に対向する第３の開口面を有する。前部配線保持部は、第３の開口面からずれた位置に設けられ、保持された特定部品の空間側の面の反対側の面に這わせたケーブルと、空間に保持されて第２の開口面から延出したケーブルとの少なくともいずれかを保持する。
【発明の効果】
【０００８】
本発明によれば、電気製品の内部で電気回路基板とは別の特定部品を保持する部品ホルダーに保持された特定部品と部品ホルダーの取付面との間に、電気製品の内部に配線されたケーブルを通す空間を形成することで、電気製品の内部配線の線種、本数、および配線経路の変更に容易に対応できるようになる。
【図面の簡単な説明】
【０００９】
【図１】本発明の実施の形態に係る電気製品の外観を示す斜視図および底面図である。
【図２】実施の形態に係る電気製品のカバーを取り外した状態を示す斜視図である。
【図３】実施の形態に係るＬＡＮアダプターを示す斜視図である。
【図４】実施の形態に係るＬＡＮアダプターを装着した部品ホルダーを示す斜視図である。
【図５】実施の形態に係る前部配線保持部を使用してケーブルを保持する状態を示す図である。
【図６】実施の形態に係る後部配線保持部を使用してケーブルを保持する状態を示す図である。
【図７】実施の形態に係る部品ホルダーを示す斜視図である。
【発明を実施するための形態】
【００１０】
以下に、本発明を実施するための形態について図面を参照して詳細に説明する。なお、図中同一または相当する部分には同じ符号を付す。
【００１１】
図１は、本発明の実施の形態に係る電気製品の外観を示す斜視図および底面図である。電気製品１は壁面に取り付けられることを想定しており、標準取り付け状態で長手方向を上下方向とする。図１（ａ）は、電気製品１の斜視図である。電気製品１は通常使用時には電気製品１全体がカバー２で覆われている。カバー２は例えば樹脂製である。図１（ｂ）は、電気製品１の底面図である。標準取り付け状態で電気製品１の底面に位置することになるカバー２の下面には、電気製品１の内部から配線ケーブルを取り出すためのケーブル取出開口部３が設けられている。カバー２を取り外すと内部を視認でき、配線や部品変更等の作業を行うことができる。
【００１２】
図２は、実施の形態に係る電気製品のカバーを取り外した状態を示す斜視図である。電気製品１のプリント配線基板４は、標準取り付け状態の電気製品１の背面に設けられている。プリント配線基板４は本発明における電気回路基板である。プリント配線基板４は、図上での下側半分が電源回路部５であり、上側半分が信号系回路部６である。電源回路部５は全体がシールドケース７で覆われている。シールドケース７は例えば板金製である。電気製品１は、電流量を測定する電流センサーや、人を検知する人感センサー、室温を検知する温度センサーなどの外部センサーと、表示ユニットと接続する。信号系回路部６の基板上には、外部センサーと接続する外部センサー接続用コネクター８や、表示ユニットと接続する表示ユニット接続用コネクター９が備えられている。外部センサー接続用コネクター８には、外部センサー接続用ケーブル１４が接続され、表示ユニット接続用コネクター９には表示ユニット接続用ケーブル１５が接続される。
【００１３】
信号系回路部６の基板上には各種電気電子部品が実装されている。部品ホルダー１０は、各種電気電子部品を覆う形で信号系回路部６の基板上に取り付けられており、さらにその上に外部通信用のＬＡＮアダプター１１が装着されている。本実施の形態では、プリント配線基板４が設けられた標準取り付け状態の電気製品１の背面が部品ホルダー１０の取付面である。ＬＡＮアダプター１１と信号系回路部６は直接接触しないため、ＬＡＮアダプター接続ケーブル１２を信号系回路部６の基板上のＬＡＮアダプター接続コネクター１３に接続することで電気的接続を確保している。
【００１４】
図３は、実施の形態に係るＬＡＮアダプターを示す斜視図である。ＬＡＮアダプター１１には無線タイプの無線ＬＡＮアダプター１１Ａと有線タイプの有線ＬＡＮアダプター１１Ｂが存在する。図３（ａ）は、無線ＬＡＮアダプター１１Ａの斜視図である。図３（ｂ）は、有線ＬＡＮアダプター１１Ｂの斜視図である。
【００１５】
無線ＬＡＮアダプター１１Ａおよび有線ＬＡＮアダプター１１Ｂは外形寸法、形状を同一としており、どちらかを選択して部品ホルダー１０に装着する。無線ＬＡＮアダプター１１Ａおよび有線ＬＡＮアダプター１１Ｂは、ＬＡＮアダプター接続ケーブル１２の形状、引き出し位置も同一であって、付け替えることが可能である。有線ＬＡＮアダプター１１ＢにはＬＡＮケーブル２４を接続するためのＬＡＮコネクター２３が設けられている。以下、両者を区別しない場合はＬＡＮアダプター１１、区別する場合はそれぞれ、無線ＬＡＮアダプター１１Ａおよび有線ＬＡＮアダプター１１Ｂと呼称する。
【００１６】
図２の例では、外部センサー接続用コネクター８は４個備えられており、オプション機能の選択により、最大で外部センサーを４個接続することができる。外部との接続ケーブルの本数は、外部センサー接続用ケーブル１４が最大４本、表示ユニット接続ケーブル１５が１本となる。有線ＬＡＮアダプター１１Ｂを使用する場合はＬＡＮケーブル２４が１本増える。以下、これらのケーブルをまとめて総称する場合には、各ケーブルという。
【００１７】
電気製品１は部品ホルダー１０およびＬＡＮアダプター１１を取り付けた状態で出荷される。外部センサーや表示ユニットは、電気製品１を壁面に固定した後に接続されるため、作業性を考慮して外部センサー接続用コネクター８および表示ユニット接続用コネクター９は信号系回路部６の基板上端部にまとめられている。一方で、ケーブル取出開口部３はデザイン上の要請により、カバー２の底面に設けられている。このため、各ケーブルは、電気製品１の上端から下端まで引き回され、ケーブル取出開口部３から外部に引き出される。
【００１８】
図４は、実施の形態に係るＬＡＮアダプターを装着した部品ホルダーを示す斜視図である。電気製品１の内部を引き回される配線は、各種部品との干渉により断線や短絡等が起きないよう適切に引き回される必要がある。このため、部品ホルダー１０には、前部配線保持部３１および後部配線保持部３２が設けられている。電気製品１を設置したときには、部品ホルダー１０およびＬＡＮアダプター１１は、あらかじめ取り付けられているので、各ケーブルは通常、部品ホルダー１０およびＬＡＮアダプター１１に覆いかぶさる形で引き回される。その際に前部配線保持部３１を使用する。
【００１９】
電気製品１はデザイン上の要請により、できるだけ薄型であることが求められる。このため、ＬＡＮアダプター１１とカバー２の間隔、およびシールドケース７とカバー２の間隔は極力小さくなるように設計される。このような設計により、各ケーブルが重なって引き回された場合、カバー２を取り付けることによって重なっているケーブルが押しつぶされ、カバー２や各ケーブル、ＬＡＮアダプター１１、部品ホルダー１０およびプリント配線基板４に圧力がかかり、長期間の使用によってこれらの部品が破損する可能性がある。前部配線保持部３１は、このような各種部品の破損を防止するためのものである。取り付けられたＬＡＮアダプター１１の前面を這わせた各ケーブルを整理し、かつ全体の厚みが抑えられるように、前部配線保持部３１は、配線されうる最大数のケーブルを重ならないように並列に保持することができる幅のフック形状としている。
【００２０】
図５は、実施の形態に係る前部配線保持部を使用してケーブルを保持する状態を示す図である。図５（ａ）は、前部配線保持部３１を使用した配線の引き回しを示す斜視図であって、図５（ｂ）は、前部配線保持部３１の部分を横から見た拡大図である。無線ＬＡＮアダプター１１Ａおよび有線ＬＡＮアダプター１１Ｂのどちらも選択可能であるが、図５では、配線本数が最大となる場合を想定して有線ＬＡＮアダプター１１Ｂを部品ホルダー１０に装着した例を示す。プリント配線基板４からの法線方向の距離が最大となるのが前部配線保持部３１の前面であり、この前面がカバー２の内面と干渉しない位置関係とする。各ケーブルは有線ＬＡＮアダプター１１Ｂおよびシールドケース７の前面を這う形となる。なお、各ケーブルの曲がりによりカバー２の内面と接触することがあったとしても、各ケーブルが重なることがなければ各ケーブルおよび各種部品の破損につながるような圧力がかかることはない。
【００２１】
このような構成によれば、例えば無線ＬＡＮアダプター１１Ａを選択して電気製品１を設置したが何らかの原因により無線接続できない、または接続が不安定で、有線ＬＡＮアダプター１１Ｂに変更する必要が生じたといったケースに簡単に対応できる。この場合、配線もすでに行われており、前部配線保持部３１を使用して各ケーブルが重ならないよう整理されているところから、無線ＬＡＮアダプター１１Ａを取り外す。無線ＬＡＮアダプター１１Ａを取り外すことは比較的容易だが、代わりの有線ＬＡＮアダプター１１Ｂを取り付ける際に前部配線保持部３１を使用すると、取り外しの際に乱れた各ケーブルをよけて有線ＬＡＮアダプター１１Ｂを部品ホルダー１０に装着してから、各ケーブルを整理し直すという手間が生じることになる。
【００２２】
そこで、配線後にＬＡＮアダプター１１を取り付ける場合には、後部配線保持部３２を使用する。後部配線保持部３２は断面が長方形の単純な溝状の構造である。後部配線保持部３２の溝状の構造は、配線されうる最大数のケーブルをまとめて嵌めることができる幅を有している。配線後の各ケーブルをまとめて後部配線保持部３２に嵌め、ＬＡＮアダプター１１を装着することが可能である。これにより、ＬＡＮアダプター１１で各ケーブルにフタをする形になるため、カバー２を取り付けることによって各ケーブルが押しつぶされることはない。
【００２３】
部品ホルダー１０は、プリント配線基板４の信号系回路部６に実装された各種電気電子部品と干渉しないことが求められる。各種電気電子部品には電解コンデンサーのようなある程度の高さがあるものが存在する。前部配線保持部３１のように、高さを抑えているがその分面積が必要な幅の広いフック形状を後部配線保持部３２に採用したとすると、信号系回路部６上の各種電気電子部品の上に後部配線保持部３２を備え、その上にＬＡＮアダプター１１を装着する形となり、全体の高さが増してしまう。これに対し、信号系回路部６上の各種電気電子部品を左右に寄せて配置し、中央部分に溝状の後部配線保持部３２を備える部品ホルダー１０で各種電気電子部品を覆う形にすることで、全体の高さを抑えることができる。
【００２４】
後部配線保持部３２は、取り付けられたＬＡＮアダプター１１と部品ホルダー１０で覆われた信号系回路部６上の中央部分との間に、各ケーブルを通す上側開口面および下側開口面を有する空間を形成する。上側開口面および下側開口面は本発明における第１の開口面および第２の開口面である。後部配線保持部３２は、ＬＡＮアダプター１１が取り外された状態では、上側開口面および下側開口面をつなぐ前側開口面を有する。前側開口面は本発明における第３の開口面である。
【００２５】
例えば、各種電気電子部品を左右に寄せて配置し、信号系回路部６上の中央部分を他のシールド部品で覆う場合には、後部配線保持部３２は溝状の構造ではなく、取り付けられたＬＡＮアダプター１１と他のシールド部品で覆われた信号系回路部６上の中央部分との間に、各ケーブルを通す上側開口面および下側開口面を有する空間を形成し、ＬＡＮアダプター１１が取り外された状態で前側開口面を有する構造であってもよい。また、前側開口面は、上側開口面および下側開口面を有する空間に各ケーブルを嵌めることができればいいので、上側開口面および下側開口面をつなぐ開口面であって、少なくとも配線しうる最も太いケーブル１本分の幅を有する開口面であればよい。
【００２６】
図６は、実施の形態に係る後部配線保持部を使用してケーブルを保持する状態を示す図である。図６（ａ）は、後部配線保持部３２を使用した配線の引き回しを示す斜視図であって、図６（ｂ）は、後部配線保持部３２の部分を横から見た拡大図である。図６では、図５の場合と同様に、配線本数が最大となる場合を想定して有線ＬＡＮアダプター１１Ｂを部品ホルダー１０に装着した例を示す。後部配線保持部３２を通された各ケーブルは、シールドケース７近辺では、前部配線保持部３１を使用した場合と同様、シールドケース７の前面を這う形となる。したがって、後部配線保持部３２を使用した場合においても、この部分では前部配線保持部３１を使用して、各ケーブルを重ならないように整理する必要がある。そのため、前部配線保持部３１の位置は、後部配線保持部３２を通された各ケーブルをシールドケース７の前面で重ならないように整理することが可能な位置とする。
【００２７】
後部配線保持部３２を通された各ケーブルがシールドケース７の前面で重なったとしてもカバー２を取り付けることによって重なっているケーブルが押しつぶされない程度にシールドケース７とカバー２との間隔がある場合には、前部配線保持部３１の位置は、各ケーブルを取り付けられたＬＡＮアダプター１１の前面で重ならないように整理することが可能な位置であればよい。図５では、各ケーブルをすべて前部配線保持部３１で保持する例を示し、図６では、各ケーブルをすべて後部配線保持部３２で保持する例を示したが、各ケーブルの一部を後部配線保持部３２が保持し、その他を前部配線保持部３１が保持してもよい。例えば、ＬＡＮケーブル２４をＬＡＮコネクター２３に差し込む向きが決まっている場合、外部センサー接続用ケーブル１４および表示ユニット接続用ケーブル１５を後部配線保持部３２で保持し、ＬＡＮケーブル２４を前部配線保持部３１で保持するようにすれば、配線後に有線ＬＡＮアダプター１１Ｂを装着する際に、ＬＡＮケーブル２４を差し込む向きを変える必要がなくなる。
【００２８】
図７は、実施の形態に係る部品ホルダーを示す斜視図である。部品ホルダー１０の前部配線保持部３１の横棒部の端には、ケーブル脱落防止のため突起６１を設けている。突起６１は、図７に示すような半円状に限らず、ケーブルの脱落を防止可能な形状であればよい。横棒部の背面６２は、ケーブルの横ズレ防止のため波状の構造としている。背面６２の凹凸にあわせて各ケーブルを配置することで、各ケーブルを重ならないように保持することができる。前部配線保持部３１は構造上折れやすいことが想定されるため、横棒部の根本部６３および角部６４に、折れ防止の補強を施している。必要な強度を確保するために補強部６７を設けている。これにより、部品ホルダー１０を単体で扱う際に破損する可能性を低減することができる。
【００２９】
ＬＡＮアダプター１１を保持するＬＡＮアダプター保持部６５には段差を設けてあり、ＬＡＮアダプター１１の取り付け位置が容易に判断できるようになっている。ＬＡＮアダプター保持部６５は本発明における特定部品保持部である。後部配線保持部３２は断面形状が長方形で表面が滑らかな溝状の構造である。これにより、後部配線保持部３２を通る各ケーブルに不要な圧力や摩擦力がかからない。金型抜き部６６は、前部配線保持部３１を含めて部品ホルダー１０を一体成形できるようにするための構造であり、空洞になっている。例えば樹脂を材料としてＬＡＮアダプター保持部６５、前部配線保持部３１および後部配線保持部３２を一体成形することにより、低コストで部品ホルダー１０を実現できる。部品ホルダー１０は、後部配線保持部３２のため中央部を大きく抉った形状であるため、必要な強度を確保するために補強部６７を設けている。これにより、部品ホルダー１０を単体で扱う際に破損する可能性を低減することができる。
【００３０】
以上説明したように本実施の形態の部品ホルダー１０によれば、ＬＡＮアダプター保持部６５が保持するＬＡＮアダプター１１と部品ホルダー１０の取付面との間に、各ケーブルを通す空間を形成する後部配線保持部３２を備えることで、電気製品１の内部配線の線種、本数、および配線経路の変更に容易に対応できるようになる。また、各ケーブルを、ＬＡＮアダプター１１の前に這わせた状態で保持する前部配線保持部３１を備えることで、カバー２を取りつけたときに、各ケーブルおよび各種部品の破損につながるような圧力がかかることを防止できる。さらに、部品ホルダー１０のＬＡＮアダプター保持部６５、前部配線保持部３１および後部配線保持部３２を一体形成することで、電気製品１の内部配線のためのコストを抑えることができる。
【００３１】
上記の実施の形態では、ＬＡＮアダプター１１の取り付けが配線よりも先か後かによって、前部配線保持部３１を使用するか後部配線保持部３２を使用するかを決定し、配線経路を変更した。これに限らず、各ケーブルの線種や本数によって配線経路を変更してもよい。例えば、各ケーブルの線種が太く本数が多い場合は、配線しやすいように、前部配線保持部３１を使用する。各ケーブルの線種が細く本数が少ない場合は、ＬＡＮアダプター１１の付け替えがしやすいように、後部配線保持部３２を使用する。
【００３２】
上記の実施の形態では、前部配線保持部３１および後部配線保持部３２の両方を備える部品ホルダー１０について説明したが、ＬＡＮアダプター１１およびシールドケース７とカバー２との間の空間が十分広い場合には、前部配線保持部３１はなくてもよい。
【００３３】
上記の実施の形態では、ケーブル取出開口部３は、カバー２の下面に設けられているが、これに限らず、カバー２の側面に設けてもよい。後部配線保持部３２は、取り付けられたＬＡＮアダプター１１と部品ホルダー１０の取付面との間に、各ケーブルを通す上側開口面と、ケーブル取出開口部３側に開口した横側開口面とを有する空間を形成する。この場合、上側開口面および横側開口面が本発明における第１の開口面および第２の開口面である。
【００３４】
上記の実施の形態では、電気製品１に接続する外部機器として、電流センサーや、人感センサー、温度センサーなどの外部センサーと表示ユニットとを例に挙げたが、これに限らず、信号系回路部６の基板上にコネクターを設けて接続可能な外部機器であれば何でもよい。
【符号の説明】
【００３５】
１  電気製品、２  カバー、３  ケーブル取出開口部、４  プリント配線基板、５  電源回路部、６  信号系回路部、７  シールドケース、８  外部センサー接続用コネクター、９  表示ユニット接続用コネクター、１０  部品ホルダー、１１  ＬＡＮアダプター、１１Ａ  無線ＬＡＮアダプター、１１Ｂ  有線ＬＡＮアダプター、１２  ＬＡＮアダプター接続ケーブル、１３  ＬＡＮアダプター接続コネクター、１４  外部センサー接続用ケーブル、１５  表示ユニット接続用ケーブル、２３  ＬＡＮコネクター、２４  ＬＡＮケーブル、３１  前部配線保持部、３２  後部配線保持部、６１  突起、６２  背面、６３  根本部、６４  角部、６５  ＬＡＮアダプター保持部、６６  金型抜き部、６７  補強部。
【図１】
0006647878.tif 000002
【図２】
0006647878.tif 000003
【図３】
0006647878.tif 000004
【図４】
0006647878.tif 000005
【図５】
0006647878.tif 000006
【図６】
0006647878.tif 000007
【図７】
0006647878.tif 000008